(57)【要約】【課題】疑似餌を保護し、精巧で簡単なだけでなく、使用しやすく既存の疑似餌に適用し、疑似餌の保護・回収が向上する疑似餌の保護装置を提供する。【解決手段】疑似餌の保護装置であって、釣糸用の疑似餌及び脱鈎ユニットを含み、外掛もしくは内蔵式構造で該疑似餌上に該脱鈎ユニットを設置する。該脱鈎ユニットの一端は釣竿上の釣糸と連結し、別端は可動枢設方式でルアー針一端のロープを結合し、且つ該脱鈎ユニットの該釣糸と連結する一端には特定荷重値を備えた弾性力を設置する。該ルアー針が底に引っかかった時、釣糸を引っ張ることで該弾性力より大きい張力を生み出し、該脱鈎ユニットが該ルアー針のロープの連結関係を解除して疑似餌を取り戻す保護効果を達成する。【選択図】図１
0003174655.tif 000002
【実用新案登録請求の範囲】
【請求項１】
魚釣り用の疑似餌を含む疑似餌の保護装置において、
該疑似餌には脱鈎ユニットを設置し、該脱鈎ユニット一端は釣竿上にある釣糸と連結固定し、別端は可動枢設方式でルアー針一端のロープを結合し、且つ該脱鈎ユニットと該釣糸を連結した一端には特定荷重値弾性力を備えたバネ体を設置し、該ルアー針一端が外せない力を受けた時、該釣糸に一定の張力をかけることで、該バネ体を圧縮し、該脱鈎ユニットで該ロープの連結関係を解除して疑似餌を取り戻して保護する目的を達成することを特徴とする疑似餌の保護装置。
【請求項２】
前記釣糸は、リールで釣竿に設置した時、該脱鈎ユニットとの弾性荷重値間の関係によって、該リール出線の制動力値が該負載の弾性力より小さく、該弾性力は該釣糸の破壊力値である最大負荷値より小さいことを特徴とする請求項１記載の疑似餌の保護装置。
【請求項３】
前記脱鈎ユニットは、該疑似餌と分離し、外掛式構造であり、該脱鈎ユニットはユニット体内に設置し、軸桿及びバネ体から構成され、該軸桿一端は釣糸を連結固定するのに用いる固定接続部を設置し、別端は枢設軸段が伸び、中段の適所には停止部を設置し、該ユニット体は第一筐体及び第二筐体が合わさって構成し、該第一筐体の一端縁には、その内縁に貫通する通孔が設置され、別端は第一結合部を設置し、該第二筐体は該第一筐体一端に対応する第二結合部を設置し、別端は連接部を凸設して疑似餌を連結するのに用い、同時に該端内部は位置限定台を設置し、また該第二筐体は第二結合部の環周面上に対応して別に複数の槽孔を形成するもので、該軸桿を該通孔箇所に通し、その枢設軸段は該第二筐体内に位置し、同時に該バネ体は該軸桿上に嵌合し、該バネ体両端を該停止部及び該第一筐体内壁間で押さえ、また該第二筐体の外周面の槽孔はルアー針のロープ一端をループに巻きつけるのに用いた後、該ループ一端は該槽孔から該第二筐体内へ入れ、次に該軸桿の枢設軸段を該ループに嵌合した後、該位置限定台内で掛合し、可動枢設方式でルアー針を結合する目的を達成するもので、該ルアー針が底に引っかかった場合、該釣糸を引っ張ることで該バネの弾性力より張力を生み出し、該バネ体を圧縮して該枢設軸段を該ロープのループから外し、ルアー針との連結関係を解除することを特徴とする請求項１記載の疑似餌の保護装置。
【請求項４】
前記脱鈎ユニットは、軸桿及びバネ体から構成され、該疑似餌内部に設置し、該軸桿一端は釣糸を連結固定するのに用いる固定接続部を設置し、別端は枢設軸段が伸び、中段の適所には停止部を設置し、また該疑似餌は組立等方式で一端内部に納置空間を形成し、外部は該納置空間に通じる通孔及び複数の槽孔を設置し、且つ該納置空間内は該通孔に相対して別端内壁には位置限定台を設置するもので、該軸桿を該通孔箇所に差し込み、その枢設軸段は該納置空間内に位置し、且つその端部は該位置限定台内に差し込み、同時に該バネ体は該軸桿上に嵌合し、該バネ体両端を該停止部及び該納置空間内壁間で押さえ、更に該複数の槽孔はルアー針のロープ一端をループに巻きつけるのに用いた後、該ループ一端を該槽孔から該納置空間内に入れ、次に該軸桿の枢設軸段を該ループに差し込んだ後、該位置限定台内で掛合し、可動枢設方式でルアー針を結合する目的を達成し、該ルアー針が底に引っかかった場合、該釣糸を引っ張ることで該バネ体の弾性力より大きい張力を生み出し、該バネ体を圧縮して該枢設軸段を該ロープのループから外し、ルアー針との連結関係を解除することを特徴とする請求項１記載の疑似餌の保護装置。
【請求項５】
魚釣り用の疑似餌を含む疑似餌の保護装置において、
該疑似餌上には脱鈎ユニットを設置し、該脱鈎ユニットの一端は釣竿上の釣糸に位置して連結し、別端は可動枢設方式でルアー針一端のロープを結合し、該脱鈎ユニットは軸桿及びバネ体から構成され、該疑似餌内部に設置し、該軸桿一端は釣糸を連結固定するのに用いる固定接続部を設置し、別端は少なくとも枢設軸段が伸び、於該第二枢設軸段に隣接する適所には停止部を設置し、該疑似餌の内部には納置空間を形成し、該枢設軸段に対応する外側位置には内部に通じる槽孔を成形し、該軸桿の枢設軸段は該疑似餌の納置空間内に位置し、固定部は該通孔外に設置し、同時に該バネ体は該軸桿に隣接する該通孔の一端に嵌合し、該バネ体両端は該停止部及び該納置空間内壁間で押さえ、また該槽孔はルアー針のロープ一端のループが該槽孔から該納置空間内に入れるのに用い、更に該軸桿の枢設軸段をループに入れた後、可動枢設方式でルアー針を結合する目的を達成し、該ルアー針が底に引っかかった場合、釣糸を引っ張ることで該バネ体の弾性力より大きい張力を生み出し、該バネ体を圧縮し該枢設軸段を該ロープのループから外し、ルアー針との連結関係を解除して疑似餌を取り戻すことを特徴とする疑似餌の保護装置。
【請求項６】
前記疑似餌の納置空間は、内壁の該枢設軸段に対応する位置に位置限定台を設置し、該枢設軸段の端部が該位置限定台内に挿設するのに用いることを特徴とする請求項５記載の疑似餌の保護装置。
【請求項７】
前記軸桿の停止部は、平板状構造であり、一端は第二枢設軸段が伸び、該停止部と合わさってＬ字形を構成し、同時に該疑似餌は該第二枢設軸段の外側位置に対応し、他にその内部に通じる槽孔を成形し、他の一組のルアー針が該槽孔を経て該第二枢設軸段箇所に設置するのに用いることを特徴とする請求項５記載の疑似餌の保護装置。
【請求項８】
前記軸桿その停止部平板状構造であり，一端は第二枢設軸段が伸び、該停止部と合わさってＬ字形を構成し、且つ該枢設軸段は９０度等角度で折曲してＮ字形を形成し、更にルアー針設置の位置を合わせ、他に該疑似餌は該第二枢設軸段の外側位置に対応し、その内部に連通する槽孔を形成して他の一組のルアー針が該槽孔を経て該第二枢設軸段箇所に設置するのに用いることを特徴とする請求項５記載の疑似餌の保護装置。
【請求項９】
前記軸桿の停止部は、幾何形態のフレーム形構造で、該停止部内において第二枢設軸段が伸びて凸設し、該第二枢設軸段が該停止部のフレーム内で伸び、同時に該疑似餌は該第二枢設軸段の外側位置に対応し、他にその内部に通じる槽孔を成形し、他の一組のルアー針が該槽孔を経て該第二枢設軸段箇所に設置するのに用いることを特徴とする請求項５記載の疑似餌の保護装置。
【考案の詳細な説明】
【技術分野】
【０００１】
本考案は、釣糸用の疑似餌の保護装置に関するものである。
【背景技術】
【０００２】
釣りは一般に広く好まれているレジャーであり、現在、釣りは本物の餌を使用する他に、魚に似せた疑似餌も広く使用されている。疑似餌は臭みもなく何度も使用できるので、市場では早くから多種類の疑似餌が出回っている。しかしながら、どの種の疑似餌で釣りをするとしてもルアー針はすべて該疑似餌に固定するため、仮にルアー針が異物もしくは底に引っかかった場合、疑似餌が取り戻せないことがあると、損失となるだけでなく、同時に各式プラスチック、金属材質の疑似餌が水中（海中）に留まることになり、環境汚染につながる。
【０００３】
現在、公開されている技術には、底に引っかかった疑似餌を救う製品があるが、十中八九疑似餌を取り戻すことができない。図１０に示すのは、公知技術の案件（特許文献１参照）であり、該公知技術の設計での最大の特徴は、ルアーは即ち疑似餌とルアー針７、９に分離され、分離した構造は、該疑似餌前端底部に穿槽１３を設置し、且つ該穿槽１３の前端には牽引制御部品１７を設置し、釣糸を設置した後、ルアー針のロープ前端の環部１６と固定し、同時に該ロープ前端にはバネ１５及び鈎台１１ａを嵌合し、該バネ両端を該環部及び該鈎台の間に当て、更に該鈎台でルアー針９を結合する。もし、ルアー針が何か異物もしくは底に引っかかった場合、使用者が強く釣糸を引っ張れば切れてしまい、該疑似餌はルアー針と分離し、使用者が牽引制御部品で釣糸を締めれば疑似餌を取り戻すことができる。
【先行技術文献】
【特許文献】
【０００４】
【特許文献１】台湾  特許公開ＷＯ９７／４５００７号
【特許文献２】特開２０１０−２２２４３号公報
【考案の概要】
【考案が解決しようとする課題】
【０００５】
解決しようとする問題点は、前掲の公知技術で、仮に牽引制御部品が締めた釣糸の力が緩んだり、もしくは釣糸が切れたりした場合、その切れた箇所が牽引制御部品の前だった場合、疑似餌を取り戻すことはできない。そのため、公知の疑似餌をスムーズに取り戻すことが出来るかどうかは完全に運任せということになる。その他、公知の疑似餌の構造は、該疑似餌の前端底部に穿槽があるため、ルアー針設置の位置を変更できない他に、その他の疑似餌に適用できないため、改善の余地がある点である。
本考案の課題は、上記の問題点に鑑みてなされたもので、疑似餌を保護し、精巧で簡単な構成で、使用しやすく既存の疑似餌に適用し、疑似餌を取り戻す疑似餌の保護装置を提供することにある。
【課題を解決するための手段】
【０００６】
上記課題を解決するために本考案は、釣糸用の疑似餌及び脱鈎ユニットを含み、外掛もしくは内蔵式構造で該疑似餌上に該脱鈎ユニットを設置する。該脱鈎ユニットの一端は釣竿上の釣糸と連結し、別端は可動枢設方式でルアー針一端のロープを結合し、且つ該脱鈎ユニットの該釣糸と連結する一端には特定荷重値を備えた弾性力を設置する。該ルアー針が底に引っかかった時、釣糸を引っ張ることで該弾性力より大きい張力を生み出し、該脱鈎ユニットが該ルアー針のロープの連結関係を解除して該疑似餌を取り戻す保護効果を達成することを最も主要な特徴とする。
【考案の効果】
【０００７】
本考案の疑似餌の保護装置は、疑似餌を保護し、精巧で簡単なだけでなく、使用しやすく既存の疑似餌に適用し、疑似餌の回収が向上するという利点がある。
【図面の簡単な説明】
【０００８】
【図１】本考案の鈎竿に疑似餌の保護装置を設置した指示図である。
【図２】本考案の疑似餌の外掛式実施例の断面指示図（未脱鈎状態）である。
【図３】本考案の疑似餌の外掛式実施例の別一断面指示図（脱鈎状態）である。
【図４】本考案の疑似餌の外掛式実施例で疑似餌に結合した指示図である。
【図５】本考案の内蔵式第一種実施例の疑似餌の断面図である。
【図６】本考案の内蔵式第二種実施例の疑似餌の断面図である。
【図７】本考案の内蔵式第三種実施例の疑似餌の断面図である。
【図８】本考案の内蔵式第四種実施例で疑似餌の部分断面図である。
【図９】本考案の内蔵式第五種実施例で疑似餌の断面図である。
【図１０】公知の疑似餌の保護装置の断面図である。
【考案を実施するための形態】
【０００９】
疑似餌を使用して魚釣りをする時、疑似餌上に設置したルアー針が底に引っかかった時、脱鈎機能を備える事により、疑似餌を保護する目的を達成し、上述の問題を解決する疑似餌の保護装置を提供することを本考案の主な目的とする。
【実施例】
【００１０】
図１から図９に示すのは、本考案の『疑似餌の保護装置』の実施例であり、疑似餌１０を外掛もしくは内蔵する構造で、脱鈎ユニット２０に設置して疑似餌１０を保護・回収する構成である。
該疑似餌１０は該脱鈎ユニット２０一端を釣竿１上の釣糸２で連結し、該釣糸２はリール３で釣竿１上に設置し、更に該脱鈎ユニット２０の別端は可動枢設方式でルアー針３０に結合する。且つ、該脱鈎ユニット２０の該釣糸２と連結した一端には特定荷重値を備えた弾性力を設置し、同時に該リール３は出線時の制動力値を設定する。該釣糸２は材質及び太さ等の違いによって、一定数値の破壊力値、すなわち、断線の最大負荷値を備える。
本考案は応用時、該リール３出線の制動力値を該脱鈎ユニット２０にかかる弾性力より小さくし、該弾性力は該釣糸２の破壊力値より小さい。
【００１１】
更に、前記脱鈎ユニット２０の構成及び該疑似餌１０に設置する構造を説明する。
該脱鈎ユニット２０は、主に軸桿２１及びバネ体２２から構成する。該軸桿２１一端には釣糸２に連結固定する固定接続部２１１を設置し、別端には一段もしくは一段以上の枢設軸段２１２が伸び、中段の適する箇所には停止部２１３を設置する。該バネ体２２は一般の圧縮バネを該軸桿２１に嵌合して該停止部２１３の位置上方に設置する。
該バネ体２２が該軸桿２１によって引っ張られて圧縮すると、該脱鈎ユニット２０の特定荷重値の弾性力が形成され、同時に該枢設軸段２１２が可動枢設方式で該ルアー針３０に結合する。該ルアー針３０は、一端のロープ３１端部をループ３２に巻きつけた後、該ループ３２で該軸桿２１と枢設結合する。
【００１２】
図２から図４に示すとおり、本考案の実施例の該脱鈎ユニット２０は、外掛方式で該疑似餌１０上に設置した時、ユニット体４０で該疑似餌１０と連結設置する。該ユニット体４０は卵型で半楕円形状の第一筐体４１及び第二筐体４２が合わさって構成され、該第一筐体４１一端縁にはその内縁を貫通した通孔４１１を設置し、別端は内縁周面に第一結合部４１２を設置する。
該第二筐体４２の該第一筐体４１に相対する一端外縁周面は第二結合部４２１を設置し、別端は連接部４２２を凸設し、該疑似餌１０を連結するのに用いる。同時に該第二筐体４２内部は位置限定台４２３を設置し、また該第二筐体４２は第二結合部４２１の環周面上に対応し、別に若干のその内縁に連通する槽孔４２４を形成する。他に、該第一結合部４１２及び第二結合部４２１は本実施例に於いて、内、外ネジ紋でネジ止め結合する。
【００１３】
該脱鈎ユニット２０は、該ユニット体４０内縁に設置した時、該軸桿２１を該通孔４１１箇所に差し込み、その枢設軸段２１２を該第二筐体４２内に置き、該バネ体２２を該軸桿２１上に嵌合した時、その両端は該停止部２１３及び該第一筐体４１内壁間を押さえる。また該第二筐体４２外周面の槽孔４２４は該ロープ３１のループ３２一端を該槽孔４２４から該第二筐体４２内に入れるのに用い、該軸桿２１の枢設軸段２１２が該ループ３２に嵌合されて該位置限定台４２３内に掛合され、可動枢設方式で該ルアー針３０を結合する目的を達成する。
【００１４】
次に図５から図９に示すとおり、本考案の実施例の該脱鈎ユニット２０は、該疑似餌１０内部に設置した時、該疑似餌１０は組立もしくは一体成型等方式で内部に納置空間１１を形成し、外部には該納置空間１１に連通する通孔１２及び若干の槽孔１３を設置し、且つ該納置空間１１内は該通孔１２別端内壁に相対して位置限定台１４を設置し、疑似餌１０外形及び使用状況等の違いに応じて，その内部空間１１及び槽孔１３の位置及び該軸桿２１の構造もまた変化する。
【００１５】
先ず、図５、６に示すとおり、該脱鈎ユニット２０(図２参照)を該疑似餌１０の前端もしくは後端に設置した時、該軸桿２１構造は十字型を形成する。組立時には該軸桿２１を該通孔１２箇所に差し込み、その枢設軸段２１２を該納置空間１１内に設置し、且つその端部も該位置限定台１４内に置く。該バネ体２２を該軸桿２１上に嵌合した時、その両端は該停止部２１３及び該納置空間１１内壁間で押さえる。該複数の槽孔１３はすべて該ロープ３１のループ３２一端を該槽孔１３から該納置空間１１内に入れるのに用い、更に該軸桿２１の枢設軸段２１２を該ループ３２に差し込んだ後、該位置限定台１４内に掛合し、可動枢設方式で結合該ルアー針３０を結合する構造を達成する。
【００１６】
次に該脱鈎ユニット２０をルアー針３０設置の位置に合わせる場合、該軸桿２１を対応する異形状構造に合わせ、該納置空間１１両端に設置し、更に一端を該枢設軸段２１２へ延ばす他に、図７に示すような第二枢設軸段２１４を伸ばして設置する。
【００１７】
図７に示すとおり、該軸桿２１はおよそｈ字型で、該停止部２１３は平板状構造である。該第二枢設軸段２１４は、該停止部２１３外端縁から伸び、該停止部２１３と合わさってＬ字形を形成する。
【００１８】
図８に示すとおり、該軸桿２１はおよそｍ字型で、該停止部２１３は平板状構造である。該第二枢設軸段２１４は該停止部２１３外端縁から伸び、該停止部２１３と合わさってＬ字形を形成する。同時に該枢設軸段２１２は９０度等角度で折曲してＮ字形を形成し、ルアー針３０と共に側面等位置に設置する。
【００１９】
図９に示すとおり、該軸桿２１が長形状時、該停止部２１３は幾何形態のフレーム形構造で、該第二枢設軸段２１４が該停止部２１３のフレーム内で突出して伸びる。
【００２０】
上述実施例の脱鈎ユニット２０は、対応する疑似餌１０の納置空間１１内に設置した時、該軸桿２１を該通孔１２箇所に嵌合し、その枢設軸段２１２及び第二枢設軸段２１４を該納置空間１１内に置き、且つその端部は該位置限定台１４内に挿設する。同時に該バネ体２２は、該軸桿２１上に嵌合した時、その両端は該停止部２１３及び該納置空間１１内壁間を押さえる。また該複数の槽孔１３は対応する該枢設軸段２１２及び第二枢設軸段２１４外側にそれぞれ設置し、該ロープ３１のループ３２一端が該槽孔１３から入れて該第納置空間１１内に設置するのに用い、該軸桿２１の枢設軸段２１２及び第二枢設軸段２１４が対応するループ３２に嵌合し、可動枢設方式で該ルアー針３０を結合する構造を達成する。
【００２１】
上述の部品構成によって、該脱鈎ユニット２０を用いて該疑似餌１０上に設置し、弾性可動の嵌合方式で該ルアー針３０を結合する構造設計であり、ルアー針３０が底に引っかかったり、移動できない異物に引っかかったりした場合、釣糸２を引っ張ることで該バネ体２２より大きい張力を生み出す。即ち該バネ体２２を圧縮し、該枢設軸段２１２及び第二枢設軸段２１４を該ロープ３１のループ３２から外し、ルアー針３０との連結関係（図３参照）を解除して疑似餌１０を取り戻す目的を達成する。構造が精巧で簡単なだけでなく、使用しやすく且つ既存の疑似餌に適用でき、疑似餌の回収が向上し、且つ疑似餌を自然環境に残すことがないので、環境保護に役立つ。
【符号の説明】
【００２２】
１        釣竿
１０        疑似餌
１１        納置空間
１２        通孔
１３        槽孔
１４        位置限定台
２        釣糸
２０        脱鈎ユニット
２１        軸桿
２１１        固定接続部
２１２        枢設軸段
２１３        停止部
２１４        第二枢設軸段
２２        バネ体
３        リール
３０        ルアー針
３１        ロープ
３２        ループ
４０        ユニット体
４１        第一筐体
４１１        通孔
４１２        第一結合部
４２        第二筐体
４２１        第二結合部
４２２        連接部
４２３        位置限定台
４２４        槽孔
【図１】
0003174655.tif 000003
【図２】
0003174655.tif 000004
【図３】
0003174655.tif 000005
【図４】
0003174655.tif 000006
【図５】
0003174655.tif 000007
【図６】
0003174655.tif 000008
【図７】
0003174655.tif 000009
【図８】
0003174655.tif 000010
【図９】
0003174655.tif 000011
【図１０】
0003174655.tif 000012